(57)【要約】【課題】動力が不要で、自動的に開閉可能のスルースゲートを提供する。【解決手段】ゲートボディ１の軸１２をバラストデバイス２に固定設置し、ゲートボディ１とバラストデバイス２の重さの比較を通して、ゲートボディ１のスルースゲートを自動的に開閉する。バラストデバイス２のバラストロッド２０の一端に、バラストブロック２１を設け、バラストブロック２１の重さは水道が保持している水量によって、ゲートボディ１の開閉時間を決定し、ゲートボディ１はニーズによって自由に開閉する。受動ロープ３を設け、受動ロープ３の一端をバラストデバイス２と連続して設置する。別端は手動輪３２に巻付け、人力を利用して手動輪３２を操作し、ゲートボディ１を手動で操作することができる。【選択図】  図１
2011074607.tif 000002
【特許請求の範囲】
【請求項１】
動力不要の自動開閉式スルースゲートであって、
軸を有するゲートボディと、
ゲートボディの軸と連続して設置され、一端にバラストブロックが設けられているバラスとロッドを有するバラストデバイスと、
一端がゲート台座に固定設置され、別端がバラストデバイスのバラストロッドの一端に固定設置されているバッファーデバイスと、
一端がバラストデバイスに固定設置され、別端が手動輪に巻付けられている受動ロープと、を備え、
人力を通して手動輪を操作し、ゲートボディの開閉を調整することができることを特徴とするスルースゲート。
【請求項２】
ゲートボディの両側にバラストデバイスを設けることを特徴とする請求項１に記載のスルースゲート。
【請求項３】
ゲートボディの一側にバラストデバイスを設けることを特徴とする請求項１に記載のスルースゲート。
【請求項４】
ゲートボディ内側と側辺に止水シールを設けることを特徴とする請求項１に記載のスルースゲート。
【請求項５】
ゲートボディの軸は、支え台、ブッシュ、軸受けを通り抜けて設置し、バラストデバイスのバラストロッド末端に固定設置することを特徴とする請求項１に記載のスルースゲート。
【請求項６】
ゲートボディに複数の活動軸台座を設け、各活動軸台座に支軸を設け、ゲートボディをゲート台座に固定設置してから、排水道内に設置することを特徴とする請求項１に記載のスルースゲート。
【請求項７】
バラストデバイスのバラストロッドに結合カバーを設け、結合カバーはゲートボディの軸によって通り抜け、更に栓デバイスで締め固定されることを特徴とする請求項１に記載のスルースゲート。
【請求項８】
バラストデバイスのバッファーデバイスは、油圧シリンダーまたはエアシリンダーであることを特徴とする請求項１に記載のスルースゲート。
【請求項９】
バラストデバイスのバッファーデバイスに流量調整可能な調節バルブを設け、バッファーデバイスの作動を調整することを特徴とする請求項１に記載のスルースゲート。
【請求項１０】
動力不要の自動開閉式スルースゲートであって、
軸を有するゲートボディと、
ゲートボディの軸と連続して設置され、一端にバラストブロックが設けられているバラスとロッドを有するバラストデバイスと、
一端がゲート台座に固定設置され、別端がバラストデバイスのバラストロッドの一端に固定設置されているバッファーデバイスと、を備え、
自動開閉効果を有することを特徴とするスルースゲート。
【発明の詳細な説明】
【技術分野】
【０００１】
本発明はスルースゲートに関し、詳しくは動力不要の自動開閉式スルースゲートに関する。特に、電源等の動力への接続が不要であり、即ち水利の灌漑水路、溝、水利施設、ダムから水道に入／出する水量等によって、ゲートボディの開閉時間を自由に調整し、グリーン及び省エネで、二酸化炭素を削減及び環境保護ができる動力不要のスルースゲートの革新的な設計を達成する。
【背景技術】
【０００２】
スルースゲートは灌漑水路、溝、水利施設、ダムの入／出水路或いは海に近い地区の排水路に設置する。多雨季節に海水浸食の防止を目的とするので、スルースゲートの設置位置は、殆ど偏遠地区や海辺にある。スルースゲートは水路内外側水位を調整するので、人力操作が不可であるとき、また二酸化炭素の排出を削減するために、動力不要で作動ができれば理想的である。
【０００３】
従来のスルースゲート４は、図１０に示すように、傾倒式開閉構造であって、スルースゲート４をコンクリート構造体４０のゲートスロット４００の中に設け、かつスルースゲート４の昇降をスムーズまた省力的に操作するために、スルースゲート４の両側に滑車４１を設ける。またスルースゲート４の両側にワイヤーロープ台座４２を設け、ワイヤー５の一端に固定設置し、別端は開閉構造６に固定設置する。
【０００４】
開閉構造６に伝動軸６０が設けられ、伝動軸６０は軸台座６００によってコンクリート構造体４０の上方に固定設置され、歯車６１が設けられる。歯車６１は伝動ユニット６２と互いに噛合う。更に定滑車６３が設けられ、定滑車６３を上記のワイヤー５の別端に固定設置することにより、伝動ユニット６２が駆動されるとき、伝動軸６０が駆動され、スルースゲートの開閉を制御することにより、スルースゲート内外側水位を調節する。
【０００５】
またブイ構造７が設けられ、一つのブイ７０をコンクリート構造体４０のブイスロット４０１の中に設ける。それに入／出水口４０２を設置することにより、ブイスロット４０１内の水位とスルースゲートの内側水位が同じ高さになる効果を持つ。ブイロッド７１の上方に歯棒７２を設け、歯棒７２に一つの歯車７３を有し、歯車７３は手動ロッド７４の歯車７５と噛合う。この手動ロッド７４の歯車輪軸に一方向軸受けを設けることにより、ブイが上昇して歯車７３を回転させるとき、歯車７５も同時に回転するが、定点まで上昇すると、上記の一方向軸受け機能により、ブイを定位させ、スルースゲートを起動し、オープンさせる。手動で手動ロッド７４を操作するとき、二つの歯車７２、７５を分離させ、ブイの抵抗力がなくなると、直ちに下降し、水位下降してから、手動でクローズスルースゲートを操作する。
【発明の概要】
【発明が解決しようとする課題】
【０００６】
上述した従来のスルースゲートは、依然として、スルースゲートを駆動するために動力が必要であり、またはブイの動力を利用して駆動する。そこで本発明者は、異なる地区、地形の差異、特殊ニーズに対して、またはメンテナンスの便利特性を考慮したうえに、よく知られているスルースゲートの構造を更に研究し、本案を発明した。
【０００７】
本発明の目的は、動力が不要で、自動的に開閉可能のスルースゲートを提供する。
本発明のもう一つの目的は、水路の内外側水位を利用して自動的に調節し、またバラストデバイスのバラスト効果に合わせて、ゲートボディを自動的に開閉するスルースゲートを提供する。
【課題を解決するための手段】
【０００８】
本発明のスルースゲートは、ゲートボディの軸をバラストデバイスに固定設置し、ゲートボディとバラストデバイスの重さの比較を通して、スルースゲートを自動的に開閉する。
【０００９】
本発明のスルースゲートの中のバラストデバイスのバラストロッドの一端に、バラストブロックを設け、バラストブロックの重さは水道が保持している水量によって、ゲートボディの開閉時間を決定し、ゲートボディはニーズによって自由に開閉する。
【００１０】
本発明のスルースゲートに、受動ロープを設け、受動ロープの一端をバラストデバイスと連続して設置する。別端は手動輪に巻付け、人力を利用して手動輪を操作し、ゲートボディを手動で操作することができる。
【図面の簡単な説明】
【００１１】
【図１】本発明の一実施形態のスルースゲートの正面図である。
【図２】図１のＡ部分の拡大図である。
【図３】本発明の一実施形態のスルースゲートの部分断面を示す断面図である。
【図４】本発明の一実施形態のスルースゲートのバッファーデバイスの油圧システムを示す図である。
【図５】本発明の一実施形態のスルースゲートのゲートボディのクローズ状態を示す模式図である。
【図６】本発明の一実施形態のスルースゲートのゲートボディのオープン作動を示す模式図である。
【図７】本発明の一実施形態のスルースゲートのゲートボディのオープン後の模式図である。
【図８】図７のＢ部分の拡大図である。
【図９】本発明の他の実施形態の正面図である。
【図１０】従来のスルースゲートの構造を示す図である。
【発明を実施するための形態】
【００１２】
以下、本発明の実施形態によるスルースゲートを図面に基づいて説明する。
【００１３】
（一実施形態）
図１〜５に示すように、本発明のスルースゲートは、ゲートボディ１を有し、ゲートボディ１の内側と側辺とには止水シール１０が設けられる。ゲートボディ１がクローズするとき、水がゲート座１１の外側への浸透を充分に防ぐことができる。ゲートボディ１の下方に軸１２が設けられ、軸１２はゲートボディ１に固定設置される。支え台１２０とブッシュ１２１とは軸受け１２２を通り抜けて設置されている。軸１２の一端はバラストデバイス２のバラストロッド２０の末端に固定設置され、そのバラストロッド２０とバラストデバイス２との結合を安定させるために、バラストデバイス２のバラストロッド２０に結合カバー２００が設けられ、結合カバー２００は軸１２によって通り抜け、更に栓デバイス２０１で締め固定する。ゲトボディ１をスムーズに開閉させるために、ゲートボディ１の下方に複数の活動軸台座１３を設ける。各活動軸台座１３に支軸１４を設け、ゲートボディ１を上記のゲート台座１１に設置し、また排水道１５内に設置する。更に頂部を支える台座１６を設け、水路の上方に設けることが可能で、ゲートボディ１が完全にオープンするとき、適当な水平状態を保持し（図７に示す通り）、再びクローズするときに有利になる。
【００１４】
図３〜５に示す通り、バラストデバイス２は、上記のゲートボディ１の一側（図１に示す通り）または両側に設けることが可能であり、本発明の他の実施形態では、バラストデバイス２をゲートボディ１の両側（図９に示す通り）に設ける。バラストデバイス２にバラストロッド２０を設け、バラストロッド２０を上記のようにゲートボディ１の軸１２に固定設置する。バラストロッド２０の別端にバラストブロック２１を設け、バラストブロック２１の重さと数量は水道が保持する水量による。ゲートボディ１のオープン時間を自由に設置することができる。バラストロッド２０の一端にバッファーデバイス２２を設け、図３、図７、図８に示す通り、その一端２２０をゲート台座１１の適当位置に軸設し、別端２２１を上記のバラストデバイス２のバラストロッド２０に固定設置する。バッファーデバイス２２は油圧シリンダーまたはエアシリンダーを用いることが可能で、不当な高速開閉と衝突音とを防止することができ、そのバッファーデバイス２２を利用し、ゲートボディ１のオープン速度を緩める。バッファーデバイス２２は図４に示す通り、流量調整可能な調節バルブ２２０を設けることができ、バッファーデバイス２２の作動を自由に調整する。
【００１５】
受動ロープ３は、図５〜７に示す通り、その一端３０は上記のバラストデバイス２のバラストロッド２０に固定設置され、別端３１は手動輪３２のワイヤーロープ台座３３に巻付けられ、上記のゲート台座１１の適当位置に固定設置される。人力で手動輪３２を操作すると、上記のゲートボディ１の開閉操作ができる。
【００１６】
よって、正常時はゲートボディ１とバラストデバイス２を適当なバラストの設置ができ、ゲートボディ１がクローズ状態を保持させ、図５に示す通りに、ゲートボディ１の排水道１５内側にある水位高度が最高位置Ｈ１を保持するようにする。排水道１５内側の水位高度と水量が持続して増加するとき、その水の重さがゲートボディ１を圧迫し、その重さがバラストデバイス２のバラストブロック２１の重さより重くなり、ゲートボディ１は全部オープン（図７に示す通り）するまで自動的にオープンする（図６に示す通り）。かつ排水道の水位が最低高度Ｈ２を保持するようにする。上記のように、オープン過程でゲートボディ１のオープン速度が速すぎて、排水道１５の頂部を支える台座１６にぶつかって破損することを防止することができ、バッファーデバイス２２を通して、バッファー効果を形成することができる。
【００１７】
また、受動ロープ３を利用しても、ゲートボディ１の設置高度を調整し、正常時にゲートボディ１が保持したい排水道の内側の水位の最高位置Ｈ１を決定することができる。また手動輪３２を利用して、ワイヤーロープ台座３３を回転すると、手動でゲートボディ１を開閉することができる。
【００１８】
上記を総合して見ると、本発明のスルースゲートは、動力不要で自動的にゲートボディを開閉することができ、自動的に作動といつでも自由に水位調節効果を持ち、グリーン、環境保全、省エネで二酸化炭素を削減し、水位調節の目的を発揮することは、本案の組成である。
【符号の説明】
【００１９】
１：ゲートボディ、１０：止水シール、１１：ゲート台座、１２：軸、１２０：支え台、１２１：ブッシュ、１２２：軸受け、２００：結合カバー、１３：活動軸台座、１４：支軸、１５：排水道、１６：頂部を支える台座、２：バラストデバイス、２０：バラストロッド、２１：バラストブロック、２２：バッファーデバイス、２２０：一端、２２１：別端、２２２：流量調整可能な調節バルブ、３：受動ロープ、３０：一端、３１：別端、３２：手動輪、３３：ワイヤーロープ台座。
【図１】
2011074607.tif 000003
【図２】
2011074607.tif 000004
【図３】
2011074607.tif 000005
【図４】
2011074607.tif 000006
【図５】
2011074607.tif 000007
【図６】
2011074607.tif 000008
【図７】
2011074607.tif 000009
【図８】
2011074607.tif 000010
【図９】
2011074607.tif 000011
【図１０】
2011074607.tif 000012